(57)【要約】【課題】保守に手間がかからず、敷設の費用が廉価で、且つ、大型の獣類に対し十分な防獣効果が得られる防獣フェンスを提供する。【解決手段】防獣フェンスは、（Ａ）間隔を空けて立設された複数の支柱１０、（Ｂ）多数の支柱間に亘って配置された中空構造板２０等から成る柵体、（Ｃ）柵体の上縁部２１に沿って配置された索部材３０、及び、（Ｄ）柵体の下縁部２２に沿って配置された第２の索部材４０等から成る侵入防止部材を備える。索部材３０により、獣類が柵体の上縁部２１に直接衝突する頻度が減ると共に、柵体の上縁部に加わる衝撃も緩和される。更に、索部材４０等から成る侵入防止部材により、柵体の下縁部に加わる衝撃も緩和される【選択図】  図１
2006174804.tif 000002
【特許請求の範囲】
【請求項１】
（Ａ）間隔を空けて立設された複数の支柱、
（Ｂ）多数の支柱間に亘って配置された柵体、
（Ｃ）柵体の上縁部に沿って配置された索部材、及び、
（Ｄ）柵体の下縁部に沿って配置された侵入防止部材、
を備えることを特徴とする防獣フェンス。
【請求項２】
支柱は、平板状、棒状、若しくは、管状の支柱部材、又は、断面が略Ｕ字形状、略Ｃ字形状、略「コ」の字形状、略Ｈ字形状、若しくは、略Ｌ字形状の支柱部材から成ることを特徴とする請求項１に記載の防獣フェンス。
【請求項３】
金属材料から成る管状の支柱部材の下端部は、プレス加工により縮管処理されていることを特徴とする請求項２に記載の防獣フェンス。
【請求項４】
柵体は、２枚のライナー層と、ライナー層の層間を支持する複数本のリブとを備えて成る熱可塑性樹脂製の中空構造板から構成されていることを特徴とする請求項１に記載の防獣フェンス。
【請求項５】
中空構造板は、リブと略直交する方向に延びる複数の熱罫線部を有し、２枚のライナー層、隣接する２つのリブ、及び、隣接する２つの熱罫線部によって密閉中空構造が構成され、密閉中空構造の内部には気体が封止されていることを特徴とする請求項４に記載の防獣フェンス。
【請求項６】
中空構造板は、熱罫線部が支柱の長さ方向と略平行に延びるように配置されていることを特徴とする請求項５に記載の防獣フェンス。
【請求項７】
柵体は、柵体保持用部材によって支柱に取り付けられていることを特徴とする請求項１に記載の防獣フェンス。
【請求項８】
支柱は一対の支柱部材から成り、柵体は、対を成す支柱部材と支柱部材との間に挟持されていることを特徴とする請求項１に記載の防獣フェンス。
【請求項９】
支柱は、本体部、及び、本体部から分岐した枝部を有する支柱部材から成り、柵体は、本体部と枝部との間に挟持されていることを特徴とする請求項１に記載の防獣フェンス。
【請求項１０】
支柱の上部には索保持部が設けられており、索部材は索保持部によって保持されていることを特徴とする請求項１に記載の防獣フェンス。
【請求項１１】
支柱の上部には索保持用部材が取り付けられており、索部材は索保持用部材によって保持されていることを特徴とする請求項１に記載の防獣フェンス。
【請求項１２】
索保持用部材は略環状の締結部材から成ることを特徴とする請求項１１に記載の防獣フェンス。
【請求項１３】
索保持用部材は鈎状部材から成ることを特徴とする請求項１１に記載の防獣フェンス。
【請求項１４】
支柱の上部には開口部が設けられており、鈎状部材は、支柱の開口部に挿入されていることを特徴とする請求項１３に記載の防獣フェンス。
【請求項１５】
侵入防止部材は第２の索部材から成ることを特徴とする請求項１に記載の防獣フェンス。
【請求項１６】
支柱の下部には第２の索保持部が設けられており、第２の索部材は第２の索保持部によって保持されていることを特徴とする請求項１５に記載の防獣フェンス。
【請求項１７】
支柱の下部には第２の索保持用部材が取り付けられており、第２の索部材は第２の索保持用部材によって保持されていることを特徴とする請求項１５に記載の防獣フェンス。
【請求項１８】
第２の索保持用部材は略環状の締結部材から成ることを特徴とする請求項１７に記載の防獣フェンス。
【請求項１９】
侵入防止部材は突出部を備えることを特徴とする請求項１に記載の防獣フェンス。
【請求項２０】
侵入防止部材は突出部を備えた帯状部材から構成されることを特徴とする請求項１に記載の防獣フェンス。
【請求項２１】
帯状部材の突出部を柵体の下縁部に沿って配置することを特徴とする請求項２０に記載の防獣フェンス。
【請求項２２】
支柱は一対の支柱部材から成り、帯状部材は、対を成す支柱部材と支柱部材との間に挟持されていることを特徴とする請求項２０に記載の防獣フェンス。
【請求項２３】
柵体の下縁部に設けられた突出部により柵体の下縁部を含む部分が侵入防止部材を構成し、柵体と侵入防止部材とが一体を成すことを特徴とする請求項１９に記載の防獣フェンス。
【発明の詳細な説明】
【技術分野】
【０００１】
本発明は、獣類が生息する地帯に好適なフェンスに関し、より詳細には、獣類の侵入を阻止するための防獣フェンスに関する。
【背景技術】
【０００２】
従来より、森林等に隣接する耕作地、ゴルフ場等には、サル、キツネ、タヌキ、シカ、イノシシ等の獣類の侵入を防ぐため、耕作地等を囲む防獣フェンスが設置されている。従来より防獣フェンスとして、支柱に金網やトタン板等の柵体を取り付けて構成したフェンス（例えば、特開２００２−１４２６５４号公報参照）、張り巡らせた電線に電圧を加え、電線に触れた動物に電気的に痛覚刺激を与えるフェンス（例えば、特許２６１９２０９号公報参照）等が提案されている。
【０００３】
しかし、これら従来の防獣フェンスでは、大型の獣類に対し、獣類の侵入を阻止する効果（以下、「防獣効果」と称する）が十分とはいえない。例えば、成獣のイノシシには、体重が１００ｋｇ以上に達する個体が存在する。イノシシは、敷設された防獣フェンスに近づいた後、防獣フェンスの柵体を押したり、柵体の下縁部を押し上げる行動を示すことが多い。このため、トタン板等で構成された柵体は、その下縁部から押し上げられることで変形し（以下、「獣類の押し上げ行動による柵体の変形」と称する）、防獣フェンスに大きな隙間が生じてしまう。また、発明者らの種々の実験によれば、イノシシは、高さ１メートル程度の障害ならば、これを飛び越えようとする行動をとる。体重の重い成獣がフェンスを跳び越えようとして柵体の上部に衝突すると、その衝撃によりトタン板等から構成される柵体は容易に変形し（以下、「獣類の飛び越え行動による柵体の変形」と称する）、防獣フェンスとしての機能を果たさなくなる。更に、イノシシは、金網を構成する針金等を容易に噛み切ってしまう。また、電気的に刺激を与えるフェンスは、設置場所の植物の成長等により、電気的に短絡等することがある。このため、フェンスを定期的に保守する必要があり、保守費用が嵩むといった問題がある。
【特許文献１】特開２００２−１４２６５４号公報
【特許文献２】特許２６１９２０９号公報
【発明の開示】
【発明が解決しようとする課題】
【０００４】
一般に、防獣フェンスは相当の距離に亘り敷設されるため、保守に手間がかからず、敷設の費用が廉価で、且つ、大型の獣類に対し十分な防獣効果が得られる防獣フェンスが求められている。
【０００５】
従って、本発明の目的は、イノシシ等の大型の獣類に対しても十分な防獣効果が得られると共に、設置費用等を抑制し得る防獣フェンスを提供することにある。
【課題を解決するための手段】
【０００６】
上記の目的を達成するための本発明の防獣フェンスは、
（Ａ）間隔を空けて立設された複数の支柱、
（Ｂ）多数の支柱間に亘って配置された柵体、
（Ｃ）柵体の上縁部に沿って配置された索部材、及び、
（Ｄ）柵体の下縁部に沿って配置された侵入防止部材、
を備えることを特徴とする。
【０００７】
本発明の防獣フェンスにおいては、間隔を空けて立設された複数の支柱、及び、多数の支柱間に亘って配置された柵体によって獣類の侵入が阻止されると共に、柵体の上縁部に沿って配置された索部材によって、防獣フェンスの上方を飛び越えようとした獣類の体が受け止められる。これによって、獣類の飛び越え行動による柵体の変形を低減することができる。また、柵体の下縁部に沿って配置された侵入防止部材によって、獣類の押し上げ行動が抑制され、柵体の変形を低減することができる。侵入防止部材は、獣類の押し上げ行動を物理的に抑制するものでもよいし、獣類の学習を促して行動を抑制するものでもよい。
【０００８】
本発明の防獣フェンスにおいて、支柱として、平板状、棒状、若しくは、管状の支柱部材、又は、断面が略Ｕ字形状、略Ｃ字形状、略「コ」の字形状、略Ｈ字形状、若しくは、略Ｌ字形状の支柱部材を用いることができる。支柱部材を構成する材料は、鉄、アルミニウム、ステンレス鋼等の金属材料、塩化ビニール、ポリプロピレン（ＰＰ）等の合成樹脂材料、あるいは、木質材料、コンクリート材料等を広く用いることができる。支柱部材は、埋設等により立設される際に十分な強度で保持されるように、埋設側の端部（以下、支柱部材の下端部と称することがある）は、尖った形状であることが好ましい。埋設側の端部が尖った支柱部材は、地面等に打ち込まれる際に支柱部材表面に対する土等の圧力が高まるため、強固に立設することができる。金属材料から成る管状の支柱部材は、プレス加工による縮管処理によって、端部を尖った形状にすることができる。縮管処理の例として、管径が徐々に小さくなる針状に加工するスウェージング加工、端部の開口部を閉じるプレス加工を挙げることができる。
【０００９】
本発明の防獣フェンスにおいて、板材、あるいは、網材を柵体として用いることができるし、これらを適宜組み合わせて用いてもよい。網材は目隠しの効果に欠けるため、光透過性の低い板材と組み合わせて用いてもよい。例えば、金網等の網材と、後述する熱可塑性樹脂製の中空構造板を組み合わせて用いてもよい。板材として、木材、ベニヤ板等の木質材料から成る板材、トタン板、ブリキ板等の金属材料から成る板材、プラスチック板、ゴム板等の樹脂材料から成る板材、あるいは、建築用各種ボード等、周知の材料から成る板材を広く用いることができる。また、網材として、鉄、ステンレス鋼、アルミニウム等の金属材料から成る金網、高分子材料から成る網、繊維から成る網等、周知の網材を広く用いることができる。
【００１０】
樹脂材料から成る板材は、変形に対する復元力が大きいため好ましい。特に、２枚のライナー層と、ライナー層の層間を支持する複数本のリブとを備えて成る熱可塑性樹脂製の中空構造板（紙段ボールと構造が類似するため、俗に「プラ段」と称される）は、中実の板材に比べ重量が軽い利点を有する。この中空構造板は、リブと略直交する方向に延びる複数の熱罫線部を有し、２枚のライナー層、隣接する２つのリブ、及び、隣接する２つの熱罫線部によって密閉中空構造が構成されていてもよいし、密閉中空構造の内部には気体が封止されていてもよい。熱罫線部は柔軟な可撓性を備え、且つ、密閉中空構造は、風船のように衝撃に対する復元力を備えている。従って、このような構造の中空構造板は、変形に対して優れた復元力を示す。尚、本発明の防獣フェンスにあっては、熱罫線部が支柱の長さ方向と略平行に延びるように配置されていることが望ましい。このように配置することによって、獣類の衝突等による機械的な衝撃が、熱罫線部でより柔軟に吸収される。
【００１１】
本発明の防獣フェンスにおいて、柵体を、柵体保持用部材により支柱に取り付けることができる。柵体保持用部材として、柵体と支柱を共締めするための針金、紐、結束バンド、ネジ、ボルトとナット等、広く周知の締結部材を用いることができる。支柱と柵体の取り付け部に加わる力を分散するために、共締め用部材を用いて、柵体を支柱と共締め用部材で挟持するように締結する態様とすることもできる。既に立設している支柱に対し、柵体を柵体保持用部材によって取り付けてもよいし、予め柵体を取り付けた支柱部材を用意し、その支柱部材を立設する態様でもよい。
【００１２】
更には、本発明の防獣フェンスにおいて、支柱を一対の支柱部材から成るものとし、柵体を、対を成す支柱部材と支柱部材との間に挟持してもよい。この態様によれば、柵体は、対を成す支柱部材に挟持されているので、獣類の衝突に対する防獣フェンスの許容力が大きい利点を有する。また、支柱を、本体部、及び、本体部から分岐した枝部を有する支柱部材から成るものとし、柵体を、本体部と枝部との間に挟持することもできる。
【００１３】
本発明の防獣フェンスにおいて、柵体の上縁部に沿って配置される索部材は、金属製の建築用番線等のように単線から成るものであってもよいし、金属ワイヤ、麻綱、ロープ等のように、より合わされたものから成るものであってもよい。索部材は、引張強度が大きく、耐切創性、耐候性に優れた材料から成ることが好ましい。索部材を構成する材料として、金属材料、高分子材料、あるいは、繊維材料を挙げることができる。金属材料として、鉄、アルミニウム、ステンレス鋼等を例示することができるし、高分子材料として、ナイロン等のポリアミド系材料、テトロン等のポリエチレンテレフタレート系材料、アラミド系材料、ポリアリレート系材料等を例示することができる。繊維材料として、綿、麻等の天然繊維の他、上述の高分子材料等から成る合成繊維を例示することができる。特に、ポリアリレート系材料から成る繊維により構成される索部材は、優れた耐切創性を備えるので好ましい。
【００１４】
本発明の防獣フェンスにおいて、索部材を、支柱の上部に設けられた索保持部によって保持することができる。例えば、支柱に索部材を通すための貫通孔を設け、これを索保持部として用いてもよい。また、支柱の上部に索保持用部材を取り付け、これによって索部材を保持する態様でもよい。既に立設している支柱に対し、後から貫通孔等の索保持部を設けてもよいし、後から索保持用部材を取り付けてもよい。また、支柱部材に予め貫通孔等の索保持部を設けておき、この支柱部材を立設してもよいし、更には、支柱部材に予め索保持用部材を取り付けておき、これを立設する態様でもよい。索保持用部材として、所謂ホースバンド、あるいは、ホースクランプと呼ばれる略環状の締結部材を挙げることができる。ホースクランプは、自動車用等に種々の形状のものが大量に製造されているので、支柱の種類等に応じた製品を廉価に調達することができ、防獣フェンスの低コスト化を達成することができる利点を有する。尚、後述の第２の索保持用部材の保持に用いられる第２の索保持部、又は、第２の索保持用部材についても同様である。
【００１５】
更に、索保持用部材として鈎状部材を用いてもよい。鈎状部材を、支柱の上部に設けた開口部に挿入し、支柱に取り付けることができる。鈎状部材の挿入される部分をバネ性を備えている形状にしたり、挿入される部分を十分長尺な形状とすることにより、開口部から抜去され難くすることができる。管状の支柱部材を立設して用いる態様において、支柱部材の先端部（以下、支柱部材の上端部と称することがある）の管の開口をそのまま利用することができる。この態様は、ネジや溶接等により鈎状部材を固定する必要がなく、簡便に防獣フェンスを組み立てることができる利点を有する。
【００１６】
本発明の防獣フェンスにおいて、柵体の下縁部に沿って配置された侵入防止部材を、第２の索部材から構成することができる。例えば、イノシシが防獣フェンスの柵体の下縁部を押し上げようとしても、第２の索部材がイノシシの行動を阻害するので、「獣類の押し上げ行動による変形」を低減することができる。第２の索部材は、上述の柵体の上縁部に沿って配置される索部材と同様の構成とすることができる。即ち、第２の索部材は、金属製の建築用番線等のように単線から成るものであってもよいし、金属ワイヤ、麻綱、ロープ等のように、より合わされたものから成るものであってもよい。第２の索部材は、引張強度が大きく、耐切創性、耐候性に優れた材料から成ることが好ましい。第２の索部材を構成する材料として、金属材料、高分子材料、あるいは、繊維材料を挙げることができる。金属材料として、鉄、アルミニウム、ステンレス鋼等を例示することができるし、高分子材料として、ナイロン等のポリアミド系材料、テトロン等のポリエチレンテレフタレート系材料、アラミド系材料、ポリアリレート系材料等を例示することができる。繊維材料として、綿、麻等の天然繊維の他、上述の高分子材料等から成る合成繊維を例示することができる。特に、ポリアリレート系材料から成る繊維により構成される第２の索部材は、優れた耐切創性を備えるので好ましい。
【００１７】
第２の索部材を、支柱の下部に設けられた第２の索保持部によって保持してもよい。例えば、支柱に第２の索部材を通すための貫通孔を設け、これを第２の索保持部とすることができる。また、支柱の下部に第２の索保持用部材を取り付け、これによって第２の索部材を保持する態様でもよい。
【００１８】
また、本発明の防獣フェンスにおいて、侵入防止部材が、獣に痛覚刺激を与え得る突出部を備えていてもよい。第２の索部材が、有刺鉄線のように突出部を備えるものでもよいし、あるいは、侵入防止部材を、突出部を備えた帯状部材から構成することもできる。帯状部材の突出部を柵体の下縁部に沿って配置してもよい。支柱を一対の支柱部材から構成する場合、帯状部材を、対を成す支柱部材と支柱部材との間に挟持してもよい。帯状部材は、突出部が地中に埋没するように配置されることが好ましい。帯状部材を構成する材料として、アルミニウム、ステンレス鋼、トタン、ブリキ等の金属材料の他、ポリプロピレン（ＰＰ）、塩化ビニール等の樹脂材料を挙げることができる。突出部を有する部材を帯状部材に取り付けてもよいし、帯状部材の縁部を鋸歯形状、矩形形状、櫛歯形状等に加工することにより、帯状部材そのものに突出部を設けることもできる。更には、柵体の下縁部に設けられた突出部により柵体の下縁部を含む部分が侵入防止部材を構成し、柵体と侵入防止部材とが一体を成す構成としてもよい。例えば、熱可塑性樹脂製の中空構造板から成る柵体の下縁部を、鋸歯形状、矩形形状、櫛歯形状等に加工することにより、柵体の下縁部に突出部を設けてもよい。
【００１９】
本発明において、支柱部材は、直接地面等に打ち込まれて立設していてもよいし、地面等に対し間接的に立設していてもよい。間接的に立設する支柱の例として、支柱部材が埋め込まれたコンクリートブロックを用い、そのコンクリートブロックを地面に並べる態様を挙げることができる。
【発明の効果】
【００２０】
本発明の防獣フェンスによれば、柵体の上縁部に沿って保持された索部材、及び、柵体の下縁部に沿って配置された侵入防止部材によって、柵体に対する大型の獣類の押し上げ行動による柵体の変形、及び、飛び越え行動による柵体の変形を低減することが可能となる。これによって、保守に手間がかからず、敷設の費用が廉価で、且つ、大型の獣類に対し十分な防獣効果が得られる防獣フェンスを提供することが可能となる。
【発明を実施するための最良の形態】
【００２１】
以下、図面を参照して、実施例に基づき本発明を説明する。
【実施例１】
【００２２】
実施例１は、本発明の防獣フェンスに関する。実施例１の防獣フェンスの全体図を図１の（Ａ）及び（Ｂ）に示す。防獣フェンスに用いられる支柱の加工工程を図２の（Ａ）及び（Ｂ）に示す。また、柵体に用いられる熱可塑性樹脂製の中空構造板の一部を切り欠いた模式的な斜視図を図３に示す。
【００２３】
図１の（Ａ）に示すように、防獣フェンス１は、間隔を空けて立設された複数の支柱１０、多数の支柱１０間に亘って配置された中空構造板２０から成る柵体、柵体の上縁部２１に沿って保持された索部材３０、及び、柵体の下縁部２２に沿って配置された第２の索部材４０から成る侵入防止部材を備える。各支柱１０は、地面に立設された一対の支柱部材１１Ａ、１１Ｂから成ると共に、柵体を成す中空構造板２０は、対を成す支柱部材１１Ａと支柱部材１１Ｂとの間に挟持されている。支柱部材１１Ａ、１１Ｂの上側は、必要に応じて任意の結束部材１２により結束される。索部材３０は、索保持用部材となる略環状の締結部材３１によって、柵体の上縁部２１に沿って保持されている。略環状の締結部材３１は、支柱１０の上部（より具体的には、支柱１０を成す支柱部材１１Ａ、１１Ｂのうち支柱部材１１Ａの上部）に取り付けられている。侵入防止部材となる第２の索部材４０は、第２の索保持用部材となる略環状の締結部材４１によって保持されている。略環状の締結部材４１は、支柱１０の下部（より具体的には、支柱１０を成す支柱部材１１Ａ、１１Ｂのうち支柱部材１１Ａの下部）に取り付けられている。
【００２４】
先ず、支柱１０について説明する。実施例１において、支柱１０を成す支柱部材１１Ａ、１１Ｂは、共に、直径約２２ｍｍ、長さ約１５２０ｍｍの金属管（丸一鋼管（株）製  マルイチＡＬ−Ｚ５５）から成る。支柱部材１１Ａ、１１Ｂは、同じ支柱部材から成る。以下、これらを区別せず単に支柱部材１１と称して説明する場合がある。尚、支柱部材１１Ａと支柱部材１１Ｂについて、それぞれ、長さや直径等が異なる支柱部材を用いることも可能であり、同じ支柱部材を使う態様に限定するものではない。後述する他の実施例においても同様である。
【００２５】
図１の（Ｂ）に示すように、支柱部材１１は、例えば、地中に打ち込まれることによって埋設されている。実施例１では、支柱部材１１の約４００ｍｍ分が埋設され、支柱部材１１の上部が、約１１２０ｍｍの高さを成して立設している。
【００２６】
支柱部材１１の下端部は、プレス加工によりにより縮管処理されている。以下、図２の（Ａ）及び（Ｂ）を参照して説明する。図２の（Ａ）に示すように、縮管処理前の支柱部材１１は、直径が約２２ｍｍの金属管である。この状態において、図２の（Ａ）の左側の端部約１０ｍｍ幅をプレス加工し、管の開口を閉じるようにする。この加工により、図２の（Ｂ）に示すように、支柱部材１１における左側の端部は、尖った形状となる。実施例１では、このように加工した支柱部材１１を、対を成して地中に打ち込むことにより、一対の支柱部材から成る支柱１０を構成した。支柱１０の間隔は、防獣フェンス１に必要とされる強度を考慮して適宜選択すればよい。後述する他の実施例においても同様である。実施例１において、支柱１０の間隔を、約７５０ｍｍ乃至約９００ｍｍとした。
【００２７】
次に、中空構造板２０について説明する。図３に示すように、中空構造板２０は、ライナー層２３、ライナー層２４、こららのライナー層間を支持する複数本のリブ２５とを備えており、プラ段と称されるものである。ライナー層２３とライナー層２４とは同じ物であり、中空構造板２０の面に裏表の区別はない。熱可塑性樹脂製の中空構造板は、軽量で耐水性、機械的強度、耐候性、及び、断熱性等に優れ、加工性（切断したり接合したりすること）が容易である特徴を備える。例えば、熱可塑性ポリプロピレン系樹脂から成形された住化プラステック（株）製のサンプライ（登録商標）が市販されており、種々の厚さの中空構造板を入手し得る。厚さは一般に１．５ｍｍ〜２０ｍｍの範囲のものである。本発明の柵体に用いられる中空構造板２０の厚さは、必要とする強度に応じて適宜に選ぶことができるが、厚さが２ｍｍ〜２０ｍｍ、好ましくは３ｍｍ〜１５ｍｍの中空構造板を用いればよい。実施例１において、中空構造板２０として、厚さ５ｍｍのサンプライ（登録商標）を使用した。図１の（Ａ）に示すように、実施例１の防獣フェンス１では、中空構造板２０を、リブ２５が支柱と略直交するように配置した。
【００２８】
耐候性の観点から、中空構造板２０は、光安定剤を含有する熱可塑性樹脂から製造されることが好ましい。光安定剤としては、ベンゾトリアゾール系、ベンゾフェノン系、サリチレート系、シアノアクリレート系の紫外線吸収剤、ヒンダードアミン系のラジカル補足剤、ニッケル錯体系の消光剤等を挙げることができる。これらは、単独あるいは２種以上を組み合わせて適宜使用することができる。また、一般に使用されているフェノール系、チオエーテル系やリン系の酸化防止剤等と組み合わせることもできる。
【００２９】
これら光安定剤の配合量は、使用条件により適宜決定されるが、一般には、熱可塑性樹脂１００重量部に対して０．０１〜２．０重量部、好ましくは０．５〜１．５重量部である。また、カーボンブラック等の着色剤により着色することも、耐候性の観点から好ましい。この場合の着色剤の配合量は、一般には、熱可塑性樹脂１００重量部に対して０．０１〜２．５重量部、好ましくは０．５〜２．０重量部である。
【００３０】
実施例１において、高さが約１ｍの長尺の中空構造板２０を使い、図１の（Ｂ）に示すように、これらを対を成す支柱部材１１Ａと支柱部材１１Ｂとの間に挟持した。支柱部材１１Ａと支柱部材１１Ｂの間隔は、中空構造板２０の厚さに応じて適宜設定すればよい。また、中空構造板２０は短尺でもよい。例えば、中空構造板２０を１辺の長さが１ｍ程度の略正方形とし、隣り合う中空構造板２０の辺を重ね合わせるようにして配置することもできる。中空構造板２０が重ね合った部分が、粘着テープ等により固定されてもよい。中空構造板２０の長さは、必要に応じて任意に設定することができる。後述する他の実施例においても同様である。
【００３１】
次に、索部材３０について説明する。索部材３０は、獣類の飛び越え行動による柵体の変形を防ぐために設けられている。図１の（Ａ）に示すように、索部材３０は、索保持用部材となる略環状の締結部材３１によって、柵体を成す中空構造板２０の上縁部２１に沿って保持されている。
【００３２】
索部材３０は、獣類の飛び越え行動による衝撃を受け止めるため、引張強度が大きく、耐切創性、耐候性に優れた材料から成ることが好ましい。索部材の直径は、索部材を構成する材料に応じて、強度等を考慮して適宜決定すればよい。後述する他の実施例においても同様である。実施例１において、高分子材料から成る索部材として、ポリアリレート系材料から成る索部材を使用した。ポリアリレート系材料から成る索部材として、例えば、（株）クラレ製のベクトラン（登録商標）が市販されている。実施例１では、索部材３０として、ベクトラン製の直径が約３ｍｍの綱を使用した。尚、索部材３０を金属材料から成るものとすることもできる。例えば、直径が約３ｍｍの番線を用いることもできる。番線は、建築材料として大量に生産、消費されており、コストが廉価であるという利点を有する。
【００３３】
索部材３０は、索保持用部材となる略環状の締結部材３１によって、柵体の上縁部２１に沿って配置されている。次に、略環状の締結部材３１について説明する。
【００３４】
索保持用部材は、獣類の飛び越え行動による衝撃が索部材３０から伝わるため、強固に支柱に取り付けられることが求められる。更に、支柱に容易に取り付けられるものであることが好ましい。略環状の締結部材３１は、俗にホースバンド、あるいは、ホースクランプ等と呼ばれ、取り付けが容易である。略環状の締結部材には種々の方式があるが、本発明では特に方式を問わない。例えば、図４の（Ａ）に示すように、略環状のバンドをナットとボルト等を用いて締結する方式でもよいし、あるいは、図４の（Ｂ）に示すように、略環状のバンド自体にバネ性を持たせ、外力によりバンド径を広げた後、外力を解放する方式でもよい。実施例１では、図４の（Ｂ）に示す方式の、（株）共栄ファスナー工業製  ＫＳ−１１型  Ｎｏ.４４を使用した。図１の（Ｂ）に示すように、略環状の締結部材３１は、柵体の上縁部２１よりも約１００ｍｍ上方（Ｚ軸正方向）に位置するように、支柱１０を成す支柱部材１１Ａの上部に取り付けられている。実施例１では、図４の（Ｂ）に示す締結部材３１に設けられた貫通孔３２に索部材３０が通される。更に、索部材３０は支柱１０（具体的には、支柱１０を成す支柱部材１１Ａ、１１Ｂのいずれか片側でもよいし、両方でもよい）に巻かれ、縛られていてもよい。後述する他の実施例についても同様である。このようにして、索部材３０が、略環状の締結部材３１によって、柵体の上縁部２１に沿って配置されている。
【００３５】
尚、索保持用部材として鈎状部材を用いることもできる。例えば、図５の（Ａ）で示したように、棒状の金属材料から成る略Ｓ字形状の鈎状部材を作成し、これを支柱１０の上部に設けられた開口部に挿入してもよい。実施例１において、支柱１０は管状の支柱部材１１から成る。このため、改めて支柱１０に開口部を設ける必要はなく、支柱部材１１の上端部の開口部に鈎状部材を挿入すればよい。鈎状部材として、図５の（Ｂ）で示したように、板状の材料を加工した鈎状部材を用いることもできる。後述する他実施例においても同様である。尚、鈎状部材の形状や材質は任意に選ぶことができる。
【００３６】
次に、侵入防止部材となる第２の索部材４０、及び、第２の索保持用部材となる略環状の締結部材４１について説明する。
【００３７】
第２の索部材４０は、イノシシ等の獣類が地面を掘りながら柵体を下縁部２２側から押し上げようとしたとき、獣類の動きを制限するために用いられる。このため、前述の索部材３０と同様に、引張強度が大きく、耐切創性、耐候性に優れた材料から成ることが好ましい。後述する他の実施例においても同様である。実施例１では、第２の索部材４０として、ベクトラン製の直径が約３ｍｍの綱を使用した。尚、第２の索部材４０を金属材料から成るものとすることもできる。例えば、直径が約３ｍｍの番線を用いることもできる。
【００３８】
第２の索保持用部材も、上述の索保持用部材同様に、強固に支柱部材１１Ａに締結することが求められる。実施例１では、略環状の締結部材４１として、上述の略環状の締結部材３１と同様の締結部材を用いたが、これに限定するものではない。索部材３０と同様に、図４の（Ｂ）に示す締結部材４１に設けられた貫通孔３２に第２の索部材４０が通される。更に、第２の索部材４０は支柱１０（具体的には、支柱１０を成す支柱部材１１Ａ、１１Ｂのいずれか片側でもよいし、両方でもよい）に巻かれ、縛られていてもよい。後述する他の実施例についても同様である。このようにして、第２の索部材４０が、略環状の締結部材４１によって、柵体の下縁部２２に沿って配置されている。
【００３９】
次に、上記の構成を備えた防獣フェンス１の作用について説明する。
【００４０】
防獣フェンス１は、図１の（Ａ）に示す支柱部材１１Ａ側、あるいは、支柱部材１１Ｂ側のいずれが、獣類の侵入を防ぐ領域（例えば、耕作地）に向けられてもよい。以下、支柱部材１１Ｂ側が、耕作地等に向けられているとして説明する。
【００４１】
上述したように、獣類は走って防獣フェンスに体当たりする行動を示すことは少なく、敷設された防獣フェンス１に近づいた後、略水平方向（図１の（Ａ）のＹ軸方向）に柵体を押す行動を示すことが多い。このとき、支柱部材１１Ａ、１１Ｂに挟持された中空構造板２０は、力を受けると変形するが、過度に変形しない限り獣類の行動が止むと元の状態に戻る。このため、柵体の変形による防獣効果の低減を防ぐことができる。
【００４２】
また、防獣フェンス１は、柵体の上縁部２１に沿って配置された索部材３０を備えている。獣類が防獣フェンス１の上方を飛び越える行動を示した場合には、図６の（Ａ）に示すように、獣類の体は、先ず、索部材３０で受け止められる。従って、獣類が柵体の上縁部２１に直接衝突する頻度が減ると共に、柵体の上縁部に加わる衝撃も緩和される。実施例１では、柵体を中空構造板２０から成るものとしたので、柵体の上縁部に衝撃が及んで変形しても、過度に変形しない限り、元の状態に戻る。このようにして、獣類の飛び越え行動による柵体の変形を低減することができる。
【００４３】
更に、防獣フェンス１は、柵体の下縁部２２に沿って配置された侵入防止部材となる第２の索部材４０を備えている。例えば、イノシシは、柵体の下縁部２２における地面を掘り下げ、鼻先を柵体の下縁部２２に及ばせて、柵体の下縁部２２を押し上げる行動を示す。このとき、図６の（Ｂ）に示すように、第２の索部材４０が柵体の下縁部２２に沿って配置されているので、鼻先の動きは、第２の索部材４０によって制限され、柵体に加わる衝撃も緩和される。更に、柵体を中空構造板２０から成るものとしたので、柵体の下縁部２２に衝撃が及んで変形しても、過度に変形しない限り元の状態に戻る。このようにして、獣類の押し上げ行動による柵体の変形を低減することができる。尚、第２の索部材４０は、柵体の上縁部に沿って配置された索部材３０よりも獣類に噛まれる可能性が高いが、実施例１で用いた第２の索部材４０を成すベクトラン製の綱は、十分な耐切創性を示した。
【００４４】
以上説明したように、実施例１の防獣フェンス１によれば、獣類の柵体を押す行動による柵体の変形、飛び越え行動による柵体の変形、及び、獣類の押し上げ行動による柵体の変形の全てが低減される。従って、イノシシ等の大型の獣類に対しても、長期間に亘り十分な防獣効果を保つことができる。
【実施例２】
【００４５】
実施例２は、実施例１の変形例である。実施例２の防獣フェンスの全体図を図７の（Ａ）及び（Ｂ）に示す。
【００４６】
図７の（Ａ）に示すように、防獣フェンス２は、間隔を空けて立設された複数の支柱２１０、多数の支柱２１０間に亘って配置された中空構造板２０から成る柵体、柵体の上縁部２１に沿って配置された索部材３０、及び、柵体の下縁部２２に沿って配置された第２の索部材４０から成る侵入防止部材を備える。各支柱２１０は、地面に立設された一対の支柱部材１１Ａ、１１Ｂから成ると共に、柵体を成す中空構造板２０は、対を成す支柱部材１１Ａと支柱部材１１Ｂとの間に挟持されている。支柱部材１１Ａ、１１Ｂの上側は、必要に応じて任意の結束部材１２により結束される。索部材３０は、索保持部となる貫通孔２３１によって、柵体の上縁部２１に沿って保持されている。貫通孔２３１は、支柱２１０の上部（より具体的には、支柱２１０を成す支柱部材１１Ａ、１１Ｂのうち支柱部材１１Ａの上部）に設けられている。侵入防止部材となる第２の索部材４０は、第２の索保持部となる貫通孔２４１によって保持されている。貫通孔２４１は、支柱２１０の下部（より具体的には、支柱２１０を成す支柱部材１１Ａ、１１Ｂのうち支柱部材１１Ａの下部）に設けられている。
【００４７】
支柱部材１１Ａ、１１Ｂ、結束部材１２、中空構造板２０、索部材３０、及び、侵入防止部材となる第２の索部材４０の構成、動作、及び、作用については、実施例１で説明したと同様であるので、ここでは説明を省略する。
【００４８】
実施例２において、支柱２１０の上部には、索保持部となる貫通孔２３１が設けられている。索部材３０は、この貫通孔２３１に通される。更に、索部材３０は、支柱２１０に巻かれ縛られていてもよい。このようにして、索部材３０が、索保持部となる貫通孔２３１によって、柵体の上縁部２１に沿って配置されている。
【００４９】
また、支柱２１０の下部には、第２の索保持部となる貫通孔２４１が設けられている。侵入防止部材となる第２の索部材４０は、この貫通孔２４１に通される。更に、第２の索部材４０は、支柱２１０に巻かれ縛られていてもよい。このようにして、第２の索部材４０が、第２の索保持部となる貫通孔２４１によって、柵体の下縁部２２に沿って配置されている。
【００５０】
実施例２の防獣フェンス２において、索部材３０は、支柱の上部（具体的には、支柱部材１１Ａの上部）に設けられた索保持部となる貫通孔２３１により保持されている。従って、実施例１のように、支柱部材とは別個の索保持用部材を取り付ける必要がない。支柱とは別個の索保持用部材は、索部材３０に過大な力が加わったとき、その取り付け位置がずれる虞がある。防獣フェンス２では、索保持部となる貫通孔２３１は支柱部材１１Ａと一体化しているので、索部材３０に強い力が加わったとしても、その取り付け位置がずれることがない利点を有する。更に、防獣フェンス２によれば、侵入防止部材となる第２の索部材４０は、支柱の下部（具体的には、支柱部材１１Ａの下部）に設けれらた第２の索保持部となる貫通孔２４１により保持されている。従って、第２の索部材４０に強い力が加わったとしても、その取り付け位置がずれることがないという利点を有する。
【実施例３】
【００５１】
実施例３も、本発明の防獣フェンスに関する。実施例３の防獣フェンスの全体図を図８の（Ａ）及び（Ｂ）に示す。
【００５２】
図８の（Ａ）に示すように、防獣フェンス３は、間隔を空けて立設された複数の支柱１０、多数の支柱１０間に亘って配置された中空構造板２０から成る柵体、柵体の上縁部２１に沿って配置された索部材３０、及び、柵体の下縁部２２に沿って配置された突出部を備えた帯状部材３４０から成る侵入防止部材を備える。各支柱１０は、地面に立設された一対の支柱部材１１Ａ、１１Ｂから成ると共に、柵体を成す中空構造板２０は、対を成す支柱部材１１Ａと支柱部材１１Ｂとの間に挟持されている。支柱部材１１Ａ、１１Ｂの上側は、必要に応じて任意の結束部材１２により結束される。索部材３０は、索保持用部材となる略環状の締結部材３１によって、柵体の上縁部２１に沿って保持されている。略環状の締結部材３１は、支柱１０の上部（より具体的には、支柱１０を成す支柱部材１１Ａ、１１Ｂのうち支柱部材１１Ａの上部）に取り付けられている。侵入防止部材となる突出部を備えた帯状部材３４０は、対を成す支柱部材１１Ａと支柱部材１１Ｂとの間に挟持され、柵体の下縁部２２に沿って配置されている。
【００５３】
支柱１０、支柱部材１１Ａ、１１Ｂ、結束部材１２、中空構造板２０、索部材３０、及び、略環状の締結部材３１の構成、動作、及び、作用については、実施例１で説明したと同様であるので、ここでは説明を省略する。
【００５４】
侵入防止部材となる帯状部材３４０について説明する。帯状部材３４０は、ポリプロピレン（ＰＰ）材料から成る。図８の（Ａ）に示すように、帯状部材３４０の縁部は鋸歯形状に加工されている。これにより、帯状部材３４０は突出部を備える。実施例３では、帯状部材３４０の厚さを約２ｍｍ、幅を約１５０ｍｍ、鋸歯形状のピッチ、及び、鋸歯部の辺の長さを約５０ｍｍに設定したが、これに限定するものではない。帯状部材を構成する材料として、アルミニウム、ステンレス鋼、鉄等の金属材料を用いることもできる。更には、中空構造板２０から成る柵体の下縁部を、鋸歯形状、矩形形状、櫛歯形状等に加工することにより、柵体の下縁部に突出部を設け、柵体と侵入防止部材とが一体を成す構成とすることもできる。
【００５５】
図８の（Ｂ）に示すように、帯状部材３４０は、その突出部が地中に埋没するように配置され、対を成す支柱部材１１Ａと支柱部材１１Ｂとの間に挟持されている。このようにして、帯状部材３４０が、柵体の下縁部２２に沿って配置されている。尚、帯状部材３４０は、後述する獣類の押し上げ行動でその位置がずれないように、支柱１０、あるいは、中空構造板２０から成る柵体に、針金、結束バンド、ボルトとナット、ネジ、接着剤等の任意の手段で固定されていてもよい。
【００５６】
次に、上記の構成を備えた防獣フェンス３の作用について説明する。索部材３０による作用は、実施例１で説明したと同様であるので説明を省略する。
【００５７】
実施例３の防獣フェンス３によれば、柵体の下縁部２２に沿って侵入防止部材となる帯状部材３４０が配置されている。例えば、イノシシは、柵体の下縁部２２における地面を掘り下げ、柵体の下縁部２２を押し上げる行動を示す。このとき、図９に示すように、帯状部材３４０の突出部がイノシシと接触する。このようにして、獣類に痛覚刺激が与えられ、獣類に、柵体の押し上げ行動に起因して痛覚刺激が起こることが学習される。この学習効果により、獣類の柵体の押し上げ行動が抑制される。更に、柵体を中空構造板２０から成るものとしたので、柵体の下縁部２２に衝撃が及んで変形しても、過度に変形しない限り元の状態に戻る。このようにして、獣類の押し上げ行動による柵体の変形を低減することができる。
【実施例４】
【００５８】
実施例４は、実施例１の変形例である。柵体が熱罫線部を有する中空構造板によって構成されている点が相違する。実施例４の防獣フェンスの全体図を図１０の（Ａ）及び（Ｂ）に示す。また、熱罫線部を有する熱可塑性樹脂製の中空構造板の一部を切り欠いた模式的な斜視図を図１１に示す。
【００５９】
図１０の（Ａ）に示すように、防獣フェンス４は、間隔を空けて立設された複数の支柱１０、多数の支柱１０間に亘って配置された中空構造板４２０から成る柵体、柵体の上縁部２１に沿って配置された索部材３０、及び、柵体の下縁部２２に沿って配置された第２の索部材４０から成る侵入防止部材を備える。各支柱１０は、地面に立設された一対の支柱部材１１Ａ、１１Ｂから成ると共に、柵体を成す中空構造板４２０は、対を成す支柱部材１１Ａと支柱部材１１Ｂとの間に挟持されている。支柱部材１１Ａ、１１Ｂの上側は、必要に応じて任意の結束部材１２により結束される。索部材３０は、索保持用部材となる略環状の締結部材３１によって、柵体の上縁部２１に沿って保持されている。略環状の締結部材３１は、支柱１０の上部（より具体的には、支柱１０を成す支柱部材１１Ａ、１１Ｂのうち支柱部材１１Ａの上部）に取り付けられている。侵入防止部材となる第２の索部材４０は、第２の索保持用部材となる略環状の締結部材４１によって保持されている。略環状の締結部材４１は、支柱１０の下部（より具体的には、支柱１０を成す支柱部材１１Ａ、１１Ｂのうち支柱部材１１Ａの下部）に取り付けられている。
【００６０】
支柱１０、支柱部材１１Ａ、１１Ｂ、結束部材１２、索部材３０、略環状の締結部材３１、第２の索部材４０、及び、第２の索保持用部材となる略環状の締結部材４１の構成、動作、及び、作用については、実施例１で説明したと同様であるので、ここでは説明を省略する。
【００６１】
図１１に示すように、中空構造板４２０は、ライナー層２３、ライナー層２４、これらのライナー層間を支持する複数本のリブ２５とを備えている。更に、リブ２５と略直交する方向に伸びる熱罫線部２６を備えている。図３に示した熱可塑性樹脂製の中空構造板２０に対し、所定の間隔で加熱処理を行うことによって中空構造板４２０を得ることができる。既に図３を参照して説明したように、ライナー層２３とライナー層２４とは同じ物であり、中空構造板４２０の面に裏表の区別はない。実施例４において、熱罫線部２６のピッチは約４０ｍｍ、熱罫線部２６の幅は約５ｍｍであるが、これに限定するものではない。熱罫線部２６では、ライナー層２３、ライナー層２４、及び、複数本のリブ２５が溶着して一体化した状態となっている。このため、２枚のライナー層、隣接する２つのリブ、及び、隣接する２つの熱罫線部によって密閉中空構造が構成されている。また、熱罫線部２６の形成が空気雰囲気中で行われているので、密閉中空構造の内部には空気が封入されている。このような熱罫線部２６を有する中空構造板として、例えば、熱可塑性ポリプロピレン系樹脂から成形された住化プラステック（株）製のサンプライ（登録商標）が市販されており、種々の厚さの中空構造板を入手し得る。厚さは一般に１．５ｍｍ〜２０ｍｍの範囲のものである。本発明の柵体に用いられる中空構造板４２０の厚さは、必要とする強度に応じて適宜に選ぶことができるが、厚さが２ｍｍ〜２０ｍｍ、好ましくは３ｍｍ〜１５ｍｍの中空構造板を用いればよい。実施例４において、中空構造板４２０として、厚さ５ｍｍのサンプライ（登録商標）を使用した。図１０の（Ａ）に示すように、中空構造板４２０は、熱罫線部２６が支柱１０の長さ方向と略平行に延びるように配置されている。
【００６２】
次に、上記の構成を備えた防獣フェンス４の作用について説明する。索部材３０、及び、第２の索部材４０による作用は、実施例１で説明したと同様であるので説明を省略する。
【００６３】
実施例４の防獣フェンス４によれば、柵体は、熱罫線部２６を備えている中空構造板４２０から成り、また、熱罫線部２６は、支柱１０の長さ方向と略平行に延びるように配置されている。上述のように、熱罫線部２６では、ライナー層２３、ライナー層２４、及び、複数本のリブ２５が溶着して一体化した状態となっている。このため、熱罫線部２６は柔軟な可撓性を備えている。更に、２枚のライナー層、隣接する２つのリブ、及び、隣接する２つの熱罫線部によって密閉中空構造が構成され、密閉中空構造の内部には空気が封入されており、風船のように衝撃に対する復元力を備えている。このため、中空構造板４２０は、獣類が与える衝撃による変形に対して、優れた復元力を示す。また、支柱１０と熱罫線部２６が略平行に伸びるように配置されているので、支柱１０が熱罫線部２６の撓みを阻害することがない。従って、実施例４の防獣フェンス４は、獣類の柵体を押す行動、獣類の飛び越え行動、及び、獣類の押し上げ行動により柵体が衝撃を受けても、これをより柔軟に受け止めることができるので、柵体の変形をより低減することが可能となる。
【実施例５】
【００６４】
実施例５は、実施例３の変形例である。柵体が熱罫線部を有する中空構造板によって構成されている点が相違する。実施例５の防獣フェンスの全体図を図１２の（Ａ）及び（Ｂ）に示す。
【００６５】
図１２の（Ａ）に示すように、防獣フェンス５は、間隔を空けて立設された複数の支柱１０、多数の支柱１０間に亘って配置された熱罫線部２６を有する中空構造板４２０から成る柵体、柵体の上縁部２１に沿って配置された索部材３０、及び、柵体の下縁部２２に沿って配置された突出部を備えた帯状部材３４０から成る侵入防止部材を備える。各支柱１０は、地面に立設された一対の支柱部材１１Ａ、１１Ｂから成ると共に、柵体を成す中空構造板４２０は、対を成す支柱部材１１Ａと支柱部材１１Ｂとの間に挟持されている。支柱部材１１Ａ、１１Ｂの上側は、必要に応じて任意の結束部材１２により結束される。索部材３０は、索保持用部材となる略環状の締結部材３１によって、柵体の上縁部２１に沿って保持されている。略環状の締結部材３１は、支柱１０の上部（より具体的には、支柱１０を成す支柱部材１１Ａ、１１Ｂのうち支柱部材１１Ａの上部）に取り付けられている。侵入防止部材となる突出部を備えた帯状部材３４０は、対を成す支柱部材１１Ａと支柱部材１１Ｂとの間に挟持され、柵体の下縁部２２に沿って配置されている。
【００６６】
支柱１０、支柱部材１１Ａ、１１Ｂ、結束部材１２、索部材３０、略環状の締結部材３１、及び、突出部を備えた帯状部材３４０から成る侵入防止部材の構成、動作、及び、作用については、実施例３で説明したと同様である。また、熱罫線部２６を有する中空構造板４２０については、実施例４で説明したと同様である。従ってこれらの構成、動作、及び、作用については、説明を省略する。
【００６７】
実施例５の防獣フェンス５によれば、柵体が熱罫線部２６を備えている中空構造板４２０から成っているので、獣類の柵体を押す行動、獣類の飛び越え行動、及び、獣類の押し上げ行動により柵体が衝撃を受けても、これをより柔軟に受け止めることができるので、柵体の変形をより低減することが可能となる。
【実施例６】
【００６８】
実施例６は、柵体の下縁部に沿って配置された侵入防止部材として、第２の索部材と、突出部を備えた帯状部材との両方を備えていることを特徴とする。実施例６の防獣フェンスの全体図を図１３の（Ａ）及び（Ｂ）に示す。
【００６９】
図１３の（Ａ）に示すように、防獣フェンス６は、間隔を空けて立設された複数の支柱１０、多数の支柱１０間に亘って配置された中空構造板４２０から成る柵体、柵体の上縁部２１に沿って配置された索部材３０、柵体の下縁部２２に沿って配置された第２の索部材４０から成る侵入防止部材、及び、柵体の下縁部２２に沿って配置された突出部を備えた帯状部材３４０から成る侵入防止部材を備える。各支柱１０は、地面に立設された一対の支柱部材１１Ａ、１１Ｂから成ると共に、柵体を成す中空構造板４２０は、対を成す支柱部材１１Ａと支柱部材１１Ｂとの間に挟持されている。支柱部材１１Ａ、１１Ｂの上側は、必要に応じて任意の結束部材１２により結束される。索部材３０は、索保持用部材となる略環状の締結部材３１によって、柵体の上縁部２１に沿って保持されている。略環状の締結部材３１は、支柱１０の上部（より具体的には、支柱１０を成す支柱部材１１Ａ、１１Ｂのうち支柱部材１１Ａの上部）に取り付けられている。侵入防止部材となる第２の索部材４０は、第２の索保持用部材となる略環状の締結部材４１によって保持されている。略環状の締結部材４１は、支柱１０の下部（より具体的には、支柱１０を成す支柱部材１１Ａ、１１Ｂのうち支柱部材１１Ａの下部）に取り付けられている。侵入防止部材となる突出部を備えた帯状部材３４０は、対を成す支柱部材１１Ａと支柱部材１１Ｂとの間に挟持され、柵体の下縁部２２に沿って配置されている。
【００７０】
支柱１０、支柱部材１１Ａ、１１Ｂ、結束部材１２、索部材３０、略環状の締結部材３１、第２の索部材４０、及び、第２の索保持用部材となる略環状の締結部材４１の構成、動作、及び、作用については、実施例１で説明したと同様である。また、突出部を備えた帯状部材３４０から成る侵入防止部材の構成、動作、及び、作用については、実施例３で説明したと同様である。更に、熱罫線部２６を有する中空構造板４２０については、実施例４で説明したと同様である。従って、これらの構成、動作、及び、作用については、説明を省略する。
【００７１】
実施例６の防獣フェンス６によれば、柵体の下縁部に沿って配置された侵入防止部材として第２の索部材と、突出部を備えた帯状部材との両方を備えている。従って、獣類の押し上げ行動を、より抑制することができる。
【実施例７】
【００７２】
実施例７は、実施例４の変形である。各支柱が１本の支柱部材から成ると共に、柵体が柵体保持用部材によって支柱に取り付けられている点が相違する。実施例７の防獣フェンスの全体図を図１４の（Ａ）及び（Ｂ）に示す。
【００７３】
図１４の（Ａ）に示すように、防獣フェンス７は、間隔を空けて立設された複数の支柱７１０、多数の支柱７１０間に亘って配置された中空構造板４２０から成る柵体、柵体の上縁部２１に沿って配置された索部材３０、及び、柵体の下縁部２２に沿って配置された第２の索部材４０から成る侵入防止部材を備える。各支柱７１０は、地面に立設された１本の支柱部材１１から成ると共に、柵体を成す中空構造板４２０は、柵体保持用部材により支柱７１０（より具体的には、支柱７１０を成す支柱部材１１）に取り付けられている。索部材３０は、索保持用部材となる略環状の締結部材３１によって、柵体の上縁部２１に沿って保持されている。略環状の締結部材３１は、支柱１０の上部（より具体的には、支柱７１０を成す支柱部材１１の上部）に取り付けられている。侵入防止部材となる第２の索部材４０は、第２の索保持用部材となる略環状の締結部材４１によって保持されている。略環状の締結部材４１は、支柱７１０の下部（より具体的には、支柱１０を成す支柱部材１１の下部）に取り付けられている。
【００７４】
支柱部材１１、索部材３０、略環状の締結部材３１、第２の索部材４０、及び、第２の索保持用部材となる略環状の締結部材４１の構成、動作、及び、作用については、実施例１で説明したと同様である。また、熱罫線部２６を有する中空構造板４２０については、実施例４で説明したと同様である。従って、これらの構成、動作、及び、作用については、説明を省略する。
【００７５】
防獣フェンス７では、中空構造板４２０からなる柵体が、柵体保持用部材によって支柱７１０に取り付けられている。柵体保持用部材として、柵体と支柱を共締めするための針金、紐、結束バンド、ネジ、ボルトとナット等、広く周知の締結部材を用いることができる。後述する他の実施例においても同様である。実施例７においては、柵体保持用部材としてナイロン製の結束バンド５１を用いた。具体的には、支柱７１０に対応するように中空構造板４２０に図示せぬ貫通孔を設け、この貫通孔にナイロン製の結束バンド５１を通し、支柱７１０と中空構造板４２０を共締めした。各支柱７１０に、４つのナイロン製の結束バンド５１を取り付けたが、これに限定するものではない。柵体保持用部材の種類、支柱への取り付け箇所等は、防獣フェンスに必要とされる強度を考慮して適宜選択すればよい。後述する他の実施例においても同様である。
【００７６】
実施例７の防獣フェンス７によれば、各支柱が１本の支柱部材から成っているので、防獣フェンスを構成する支柱の数を削減することができる。また、予め柵体を柵対保持用部材により支柱部材に取り付けたものを製造しておき、これを用いて防獣フェンスを敷設することもできる。
【実施例８】
【００７７】
実施例８は、実施例７の変形である。隣接する支柱が、柵体に対し所謂千鳥配置関係となっている点が主に相違する。実施例８の防獣フェンスの全体図を図１５の（Ａ）及び（Ｂ）に示す。
【００７８】
図１５の（Ａ）に示すように、防獣フェンス８は、間隔を空けて立設された複数の支柱８１０、多数の支柱８１０間に亘って配置された中空構造板４２０から成る柵体、柵体の上縁部２１に沿って配置された索部材３０、及び、柵体の下縁部２２に沿って配置された第２の索部材４０から成る侵入防止部材を備える。支柱８１０は、より具体的には、柵体に対し図のＹ軸負方向側に位置する支柱８１０Ａと、柵体に対し図のＹ軸正方向側に位置する支柱８１０Ｂから成る。即ち、隣接する支柱が、柵体に対し所謂千鳥配置関係となっている。支柱８１０は地面に立設された１本の支柱部材１１から成ると共に、柵体を成す中空構造板４２０は、柵体保持用部材となる結束バンド５１により支柱８１０（より具体的には、支柱８１０を成す支柱部材１１）に取り付けられている。索部材３０は、索保持用部材となる略環状の締結部材３１によって、柵体の上縁部２１に沿って保持されている。略環状の締結部材３１は、支柱８１０の上部（より具体的には、支柱８１０Ａを成す支柱部材１１の上部）に取り付けられている。侵入防止部材となる第２の索部材４０は、第２の索保持用部材となる略環状の締結部材４１によって保持されている。略環状の締結部材４１は、支柱８１０の下部（より具体的には、支柱８１０Ｂを成す支柱部材１１の下部）に取り付けられている。
【００７９】
支柱部材１１、索部材３０、略環状の締結部材３１、第２の索部材４０、及び、第２の索保持用部材となる略環状の締結部材４１の構成、動作、及び、作用については、実施例１で説明したと同様である。また、熱罫線部２６を有する中空構造板４２０については、実施例４で説明したと同様である。更に、柵体保持用部材としての結束バンド５１については、実施例７で説明したと同様である。従って、これらの構成、動作、及び、作用については、説明を省略する。
【００８０】
実施例８の防獣フェンス８によれば、隣接する支柱が柵体に対し所謂千鳥配置関係となっているので、柵体に図のＹ軸方向のいずれの向きの力が加わったとしても、支柱８１０Ａ、あるいは、支柱８１０Ｂのいずれかを柵体が押す関係となる。従って、柵体保持用部材が一部破損した場合であっても、支柱により柵体の位置が規制される利点を有する。
【実施例９】
【００８１】
実施例９は、実施例８の変形である。１本の支柱部材からなる支柱と、一対の支柱部材からなる支柱が交互に配置されている点が主に相違する。実施例９の防獣フェンスの全体図を図１６の（Ａ）及び（Ｂ）に示す。
【００８２】
図１６の（Ａ）に示すように、防獣フェンス９は、間隔を空けて立設された複数の支柱９１０、多数の支柱９１０間に亘って配置された中空構造板４２０から成る柵体、柵体の上縁部２１に沿って配置された索部材３０、及び、柵体の下縁部２２に沿って配置された第２の索部材４０から成る侵入防止部材を備える。支柱９１０は、より具体的には、柵体に対し図のＹ軸負方向側に位置する支柱９１０Ａと、柵体を挟持する一対の支柱部材から成る支柱９１０Ｂから成る。即ち、１本の支柱部材からなる支柱と、一対の支柱部材からなる支柱が交互に配置されている。支柱９１０Ａは地面に立設された１本の支柱部材１１Ａから成ると共に、柵体を成す中空構造板４２０は、柵体保持用部材となる結束バンド５１により支柱９１０Ａ（より具体的には、支柱９１０Ａを成す支柱部材１１Ａ）に取り付けられている。また、柵体を成す中空構造板４２０は、支柱９１０Ｂを成す支柱部材１１Ａと支柱部材１１Ｂとの間に挟持されている。支柱９１０Ｂを成す支柱部材１１Ａ、１１Ｂの上側は、必要に応じて任意の結束部材１２により結束される。索部材３０は、索保持用部材となる略環状の締結部材３１によって、柵体の上縁部２１に沿って保持されている。略環状の締結部材３１は、支柱９１０の上部（より具体的には、支柱９１０を成す支柱部材１１Ａの上部）に取り付けられている。侵入防止部材となる第２の索部材４０は、第２の索保持用部材となる略環状の締結部材４１によって保持されている。略環状の締結部材４１は、支柱９１０の下部（より具体的には、支柱９１０Ｂを成す支柱部材１１Ａ、１１Ｂのうち支柱部材１１Ｂの下部）に取り付けられている。
【００８３】
支柱部材１１Ａ、１１Ｂ、結束部材１２、索部材３０、略環状の締結部材３１、第２の索部材４０、及び、第２の索保持用部材となる略環状の締結部材４１の構成、動作、及び、作用については、実施例１で説明したと同様である。また、熱罫線部２６を有する中空構造板４２０については、実施例４で説明したと同様である。更に、柵体保持用部材としての結束バンド５１については、実施例７で説明したと同様である。従って、これらの構成、動作、及び、作用については、説明を省略する。
【００８４】
実施例９の防獣フェンス９によれば、１本の支柱部材からなる支柱と、一対の支柱部材からなる支柱が交互に配置されているので、柵体に図のＹ軸方向のいずれの向きの力が加わったとしても、支柱９１０Ａ、あるいは、支柱９１０Ｂのいずれかを柵体が押す関係となる。従って、柵体保持用部材が一部破損した場合であっても、支柱により柵体の位置が規制される利点を有する。
【００８５】
以上、本発明を好ましい実施例に基づき説明したが、本発明はこれらの実施例に限定されるものではない。実施例における防獣フェンスの構成要素の具体的な構成、構造は例示であり、適宜、変更することができる。
【００８６】
例えば、実施例３乃至実施例１０において、索部材を、索保持用部材となる略環状の締結部材３１によって、柵体の上縁部に沿って配置した。しかし、実施例２において説明したように、支柱に例えば貫通孔からなる索保持部を設けて、これによって索部材を配置する態様でもよい。更には、実施例７乃至実施例９において、侵入防止部材を第２の索部材から成るものとしたが、実施例３のように突出部を備えた帯状部材から成るものとしてもよいし、これらを共に備えるものでもよい。実施例５乃至実施例９において、柵体を熱罫線部を有する中空構造板から成るものとしたが、熱罫線部を有さない中空構造板とした構成でもよい。
【００８７】
また、支柱に柵体を取り付けるために、実公昭６３−１７７７０号公報、特開２００２−３８６４８号公報等に開示された下地部材と係合する係合部材を用いることもできる。図１７に示すように、下地部材６０は、金属板等から成る断面が略Ｃ字形状の部材である。係合部材６１も金属板等から成る断面が略Ｃ字形状の部材であり、多数の凸部が設けられている。下地部材６０と係合部材６１とを対向させて押すことにより、下地部材６０は、係合部材６１の凸部に嵌合する。例えば、下地部材６０を防獣フェンスの支柱部材として用い、柵体を成す部材に係合部材６１を取り付け、これを支柱に対向させて押すことにより支柱に柵体を取り付けることができる。また、係合部材６１を支柱部材として用い、柵体を成す部材に下地部材６０を取り付けてもよい。
【図面の簡単な説明】
【００８８】
【図１】図１の（Ａ）及び（Ｂ）は、本発明の実施例１の防獣フェンスを説明するための模式的な全体図である。
【図２】図２の（Ａ）及び（Ｂ）は、本発明の防獣フェンスに用いられる支柱の加工工程を説明するための模式的な全体図である。
【図３】図３は、本発明の防獣フェンスに用いられる中空構造板を説明するための、一部を切り欠いた模式的な斜視図である。
【図４】図４の（Ａ）及び（Ｂ）は、本発明の防獣フェンスに用いられる略環状の締結部材を説明するための、破断部を含む模式的な全体図である。
【図５】図５の（Ａ）及び（Ｂ）は、本発明の防獣フェンスに用いられる鈎状部材を説明するための、模式的な全体図である。
【図６】図６の（Ａ）及び（Ｂ）は、本発明の実施例１の防獣フェンスにおける索部材、第２の索部材の効果を説明するための模式図である。
【図７】図７の（Ａ）及び（Ｂ）は、本発明の実施例２の防獣フェンスを説明するための模式的な全体図である。
【図８】図８の（Ａ）及び（Ｂ）は、本発明の実施例３の防獣フェンスを説明するための模式的な全体図である。
【図９】図９は、本発明の実施例３の防獣フェンスにおける突出部を備えた帯状部材の効果を説明するための模式図である。
【図１０】図１０の（Ａ）及び（Ｂ）は、本発明の実施例４の防獣フェンスを説明するための模式的な全体図である。
【図１１】図１１は、本発明の防獣フェンスに用いられる熱罫線部を有する中空構造板を説明するための、一部を切り欠いた模式的な斜視図である。
【図１２】図１２の（Ａ）及び（Ｂ）は、本発明の実施例５の防獣フェンスを説明するための模式的な全体図である。
【図１３】図１３の（Ａ）及び（Ｂ）は、本発明の実施例６の防獣フェンスを説明するための模式的な全体図である。
【図１４】図１４の（Ａ）及び（Ｂ）は、本発明の実施例７の防獣フェンスを説明するための模式的な全体図である。
【図１５】図１５の（Ａ）及び（Ｂ）は、本発明の実施例８の防獣フェンスを説明するための模式的な全体図である。
【図１６】図１６の（Ａ）及び（Ｂ）は、本発明の実施例９の防獣フェンスを説明するための模式的な全体図である。
【図１７】図１７は、下地部材と、下地部材と係合する係合部材を説明するための模式的な全体図である。
【符号の説明】
【００８９】
１、２、３、４、５、６、７、８、９・・・防獣フェンス、１０、２１０、７１０、８１０、８１０Ａ、８１０Ｂ、９１０、９１０Ａ、９１０Ｂ・・・支柱、１１、１１Ａ、１１Ｂ・・・支柱部材、１２・・・結束部材、２０、４２０・・・中空構造板、２１・・・柵体の上縁部、２２・・・柵体の下縁部、２３、２４・・・ライナー層、２５・・・リブ、２６・・・熱罫線部、３０・・・索部材、３１・・・締結部材、３２・・・貫通孔、４０・・・第２の索部材、４１・・・締結部材、２３１・・・貫通孔、２４１・・・貫通孔、５１・・・結束バンド、３４０・・・帯状部材、６０・・・下地部材、６１・・・係合部材
【図１】
2006174804.tif 000003
【図２】
2006174804.tif 000004
【図３】
2006174804.tif 000005
【図４】
2006174804.tif 000006
【図５】
2006174804.tif 000007
【図６】
2006174804.tif 000008
【図７】
2006174804.tif 000009
【図８】
2006174804.tif 000010
【図９】
2006174804.tif 000011
【図１０】
2006174804.tif 000012
【図１１】
2006174804.tif 000013
【図１２】
2006174804.tif 000014
【図１３】
2006174804.tif 000015
【図１４】
2006174804.tif 000016
【図１５】
2006174804.tif 000017
【図１６】
2006174804.tif 000018
【図１７】
2006174804.tif 000019